(57)【要約】【課題】簡素な構成で、手動ハンドル側操作軸と断路器側操作軸とが回動する角度を変換させる。【解決手段】手動操作で回動させる手動ハンドル側操作軸１０と、手動ハンドル側操作軸１０に連結された角度変換装置１２と、角度変換装置１２に連結されるとともに、開閉器に連結された断路器側操作軸１１とを備え、角度変換装置１２は、手動ハンドル側操作軸１０に固定された一方の角度変換板１３と、一方の角度変換板１３よりも所定の角度を持って遅れて回動を始めるとともに、断路器側操作軸１１に固定された他方の角度変換板１５とで構成されることを特徴とする。【選択図】  図２
2011192553.tif 000002
【特許請求の範囲】
【請求項１】
手動操作で回動させる手動ハンドル側操作軸と、
前記手動ハンドル側操作軸に連結された角度変換装置と、
前記角度変換装置に連結されるとともに、開閉器に連結された断路器側操作軸とを備え、
前記角度変換装置は、前記手動ハンドル側操作軸に固定された一方の角度変換板と、
前記一方の角度変換板よりも所定の角度を持って遅れて回動を始めるとともに、前記断路器側操作軸に固定された他方の角度変換板とで構成されることを特徴とする開閉器の操作機構。
【請求項２】
前記一方の角度変換板に駆動ピンを設け、
前記他方の角度変換板に前記駆動ピンが所定の長さ移動できる回転溝を設けたことを特徴とする請求項１に記載の開閉器の操作機構。
【請求項３】
前記角度変換装置を複数枚の角度変換板で構成したことを特徴とする請求項１または請求項２に記載の開閉器の操作機構。
【請求項４】
少なくとも前記一方の角度変換板の外周に突出部を設け、電気部材を動作させるリンクを連結したことを特徴とする請求項１乃至請求項３のいずれか１項の開閉器の操作機構。
【請求項５】
少なくとも前記一方の角度変換板の外周に突出棒を設け、電気部材を動作させることを特徴とする請求項１乃至請求項４のいずれか１項の開閉器の操作機構。
【請求項６】
前記他方の角度変換板に開閉状態の表示を設けたことを特徴とする請求項１乃至請求項５のいずれか１項の開閉器の操作機構。
【発明の詳細な説明】
【技術分野】
【０００１】
本発明は、断路器のような開閉器を開閉操作する開閉器の操作機構に関する。
【背景技術】
【０００２】
従来、金属閉鎖形スイッチギヤなどに収納される断路器は、盤外から手動操作で操作軸を回動させることにより、主回路を開閉できるようになっている（例えば、特許文献１参照。）。
【０００３】
この種の開閉器は、図５に示すように、箱体１内に断路器２が収納されており、主回路の断路および接続が行われるようになっている。断路器２の開閉は、盤外から操作口３に手動ハンドル４を嵌め込み、操作軸５を回動させることにより行われる。ここで、操作軸５の中間部には、回動する角度を変換するギヤ装置６が設けられている。これは、断路器２の電流容量や電圧クラスなどにより操作軸５を回動させる角度が異なってくるためである。一般的に、手動ハンドル４を一回転させることにより、操作軸５を例えば３０〜１００度の範囲で回動させ、各種の断路器２に対応させている。
【先行技術文献】
【特許文献】
【０００４】
【特許文献１】特開平８−３１５６９２号公報  （第３ページ、図１）
【発明の概要】
【発明が解決しようとする課題】
【０００５】
上記の従来の開閉器の操作機構においては、ギヤ装置６によって操作軸５が回動する角度を変換させるものの、部品点数が多く、ギヤ装置６の調整作業が困難となっていた。操作軸５には、断路器２を構成する可動電極が連結されており、回動する角度により、断路状態や接続状態を形成させるので、調整作業が不充分であると接続不良などを起こすことがある。
【０００６】
本発明は上記問題を解決するためになされたもので、簡素な構成で、操作軸が回動する角度を確実に変換できる開閉器の操作機構を提供することを目的とする。
【課題を解決するための手段】
【０００７】
上記目的を達成するために、本発明の開閉器の操作機構は、手動操作で回動させる手動ハンドル側操作軸と、前記手動ハンドル側操作軸に連結された角度変換装置と、前記角度変換装置に連結されるとともに、開閉器に連結された断路器側操作軸とを備え、前記角度変換装置は、前記手動ハンドル側操作軸に固定された一方の角度変換板と、前記一方の角度変換板よりも所定の角度を持って遅れて回動を始めるとともに、前記断路器側操作軸に固定された他方の角度変換板とで構成されることを特徴とする。
【発明の効果】
【０００８】
本発明によれば、簡素な構成の角度変換装置で、手動ハンドル側操作軸と断路器側操作軸とが回動する角度を変換することができる。
【図面の簡単な説明】
【０００９】
【図１】本発明の実施例１に係る開閉器の操作機構の角度変換装置の構成を示す側面図。
【図２】本発明の実施例１に係る開閉器の操作機構の角度変換装置の構成を示す斜視図。
【図３】本発明の実施例２に係る開閉器の操作機構の角度変換装置の構成を示す斜視図。
【図４】本発明の実施例３に係る開閉器の操作機構の角度変換装置の構成を示す斜視図。
【図５】従来の開閉器の操作機構を示す一部断面して示す上面図。
【発明を実施するための形態】
【００１０】
以下、図面を参照して本発明の実施例を説明する。
【実施例１】
【００１１】
先ず、本発明の実施例１に係る開閉器の操作機構を図１、図２を参照して説明する。図１は、本発明の実施例１に係る開閉器の操作機構の角度変換装置の構成を示す側面図、図２は、本発明の実施例１に係る開閉器の操作機構の角度変換装置の構成を示す斜視図である。なお、開閉器の操作機構は、従来方法と同様の構成であるので、その説明を省略し、角度変換装置の部分について説明する。
【００１２】
図１に示すように、図示しない手動ハンドルを嵌め込む手動ハンドル側操作軸１０と図示しない断路器に連結される断路器側操作軸１１は、角度変換装置１２で軸方向が連結されている。角度変換装置１２は、手動ハンドル側操作軸１０に固定された円板状の第１の角度変換板１３と、第１の角度変換板１３の軸方向に連結された円板状の第２の角度変換板１４と、第２の角度変換板１４の軸方向に連結されるとともに、断路器側操作軸１１に固定された円板状の第３の角度変換板１５で構成されている。
【００１３】
第１の角度変換板１３には、図２に示すように、反手動ハンドル側操作軸１０側の面に第１の駆動ピン１６が設けられており、第２の角度変換板１４に設けられた円弧状の第１の回転溝１７内を移動できるようになっている。第１の角度変換板１３の中心部には、第１の連結軸１８が突出しており、第２の角度変換板１４の貫通孔１９が回動自在に挿入されるようになっている。第１の連結軸１８の中心部には、凹部２０が設けられ、第３の角度変換板１５の反断路器側操作軸１１側に設けられた第２の連結軸２１が回動自在に嵌め込まれるようになっている。
【００１４】
第２の角度変換板１４には、第２の駆動ピン２２が設けられており、第３の角度変換板１５に設けられた円弧状の第２の回転溝２３内を移動できるようになっている。また、第３の角度変換板１５には、断路器の開閉状態を表示する表示装置２４が設けられている。
【００１５】
次に、動作について図２を参照して説明する。
【００１６】
手動ハンドル側操作軸１０を図示しない手動ハンドルで時計方向に回動（回転）させると、第１の駆動ピン１６が第１の回転溝１７内を図示Ａ点からＢ点まで移動し、Ｂ点で止まり、第２の角度変換板１４を回動させる。すると、第２の駆動ピン２２が第２の回転溝２３内を図示Ｃ点からＤ点に移動し、Ｄ点で止まり、第３の角度変換板１５および断路器側操作軸１１を回動させる。
【００１７】
これにより、手動ハンドル側操作軸１０を一回転させても、第１の角度変換板１３よりも第２の角度変換板１４が遅れて回動し、更に、第２の角度変換板１４よりも遅れて第３の角度変換板１５が回動し、結果的に、断路器側操作軸１１は４５度しか回動せず、図示しない断路器を例えば断路状態から接続状態にすることができる。断路器側操作軸１１が回動する角度は、第１の回転溝１７と第２の回転溝２３の円弧状の長さにより容易に調整することができる。
【００１８】
即ち、第２の角度変換板１４に所定角度（範囲）で移動できる円弧状の第１の回転溝１７を設け、第１の角度変換板１３に第１の回転溝１７内を移動する第１の駆動ピン１６を固定する簡素な構成で、第２の角度変換板１４を所定の角度を持って遅れて回動させることができる。第１の回転溝１７の長さ（角度）によって回動する角度が決まるので、部品点数は少なく、調整作業が不要である。第３の角度変換板１５も同様に、第２の角度変換板１４よりも所定の角度を持って回動させることができる。
【００１９】
断路器を接続状態から断路状態にする場合は、手動ハンドル側操作軸１０を反時計方向に回動（回転）させる。手動ハンドル側操作軸１０が回動する角度よりも遅れて断路器側操作軸１１を回動させることができる。
【００２０】
なお、第１の角度変換板１３（一方の角度変換板）に第３の角度変換板１５（他方の角度変換板）を組み合せても、第３の角度変換板１５を所定の角度を持って遅れて回動させることができる。即ち、角度変換装置１２は、２枚以上の複数枚の角度変換板１３、１４、１５により構成することができる。
【００２１】
上記実施例１の開閉器の操作機構によれば、手動ハンドル側操作軸１０と断路器側操作軸１１を、第１の角度変換板１３と、これよりも遅れて回動する第２の角度変換板１４と、更にこれよりも遅れて回動する第３の角度変換板１５とから構成される角度変換装置１２で連結しているので、角度変換の構成が簡素となり、それぞれの操作軸１０、１１が回動する角度を確実に変換させることができる。
【実施例２】
【００２２】
次に、本発明の実施例２に係る開閉器の操作機構を図３を参照して説明する。図３は、本発明の実施例２に係る開閉器の操作機構の角度変換装置の構成を示す斜視図である。なお、この実施例２が実施例１と異なる点は、角度変換板に他の電気部材を動作させる部位を設けたことである。図３において、実施例１と同様の構成部分においては、同一符号を付し、その詳細な説明を省略する。
【００２３】
図３に示すように、第２の角度変換板１４の外周、および第３の角度変換板１５の外周に、それぞれ突出部２５、２６を設けている。突出部２５、２６には、リンク２７、２８を連結し、例えばリミットスイッチのような電気部材２９、３０を連結している。
【００２４】
これにより、第２の角度変換板１４では、断路中の表示をすることができ、また、第３の角度変換板１５で断路完了の表示をすることができる。電気部材２９、３０は、少なくとも一つ以上とする。
【００２５】
上記実施例２の開閉器の操作機構によれば、実施例１による効果のほかに、断路器側操作軸１１が回動する角度、即ち、開閉操作中の状態を表示することができる。
【実施例３】
【００２６】
次に、本発明の実施例３に係る開閉器の操作機構を図４を参照して説明する。図４は、本発明の実施例３に係る開閉器の操作機構の角度変換装置の構成を示す斜視図である。なお、この実施例３が実施例１と異なる点は、角度変換板に他の電気部材を動作させる部位を設けたことである。図４において、実施例１と同様の構成部分においては、同一符号を付し、その詳細な説明を省略する。
【００２７】
図４に示すように、第２の角度変換板１４の外周、および第３の角度変換板１５の外周に、それぞれ突出棒３１、３２を設けている。突出棒３１、３２は、直接、例えばリミットスイッチのような電気部材２９、３０を動作させるようになっている。また、実施例２のリンクを連結し、併用してもよい。
【００２８】
上記実施例３の開閉器の操作機構によれば、実施例２と同様の効果を得ることができる。
【符号の説明】
【００２９】
１  箱体
２  断路器
３  操作口
４  手動ハンドル
５  操作軸
６  ギヤ装置
１０  手動ハンドル側操作軸
１１  断路器側操作軸
１２  角度変換装置
１３  第１の角度変換板
１４  第２の角度変換板
１５  第３の角度変換板
１６  第１の駆動ピン
１７  第１の回転溝
１８  第１の連結軸
１９  貫通孔
２０  凹部
２１  第２の連結軸
２２  第２の駆動ピン
２３  第２の回転溝
２４  表示装置
２５、２６  突出部
２７、２８  リンク
２９、３０  電気部材
３１、３２  突出棒
【図１】
2011192553.tif 000003
【図２】
2011192553.tif 000004
【図３】
2011192553.tif 000005
【図４】
2011192553.tif 000006
【図５】
2011192553.tif 000007